(57)【要約】【課題】相手コネクタに接続する際に、有効なＥＳＤ（Electro Static Discharge：静電気放電）保護機能を発揮できる電源用コネクタを提供する。【解決手段】本考案の電源用コネクタは、絶縁ボディと、前記絶縁ボディに装着され、電源のアノードとしての第１導電端子と、電源のカソードとしての第２導電端子とを含む導電端子と、前記絶縁ボディに保持される弾性部材とを含む電源用コネクタにおいて、前記弾性部材は、第１弾性アームと第２弾性アームとを含み、第２弾性アームの接触区域は、前記第１導電端子と第２導電端子の少なくともの一方の接触部より前記絶縁ボディの前面に近い位置に形成されていることを特徴とする。【選択図】図７
0003139733.tif 000002
【実用新案登録請求の範囲】
【請求項１】
絶縁ボディと、
前記絶縁ボディに装着され、電源のアノードとしての第１導電端子と、電源のカソードとしての第２導電端子とを含む導電端子と、
前記絶縁ボディに保持される弾性部材と
を含む電源用コネクタにおいて、
前記弾性部材は、第１弾性アームと第２弾性アームとを含み、
第２弾性アームの接触区域は、前記第１導電端子と第２導電端子の少なくともの一方の接触部より前記絶縁ボディの前面に近い位置に形成されていることを特徴とする電源用コネクタ。
【請求項２】
前記第２弾性アームの接触区域は、前記第１弾性アームの接触区域の前方に位置していることを特徴とする、請求項１に記載の電源用コネクタ。
【請求項３】
前記第１弾性アームの幅は、前記第２弾性アームの幅より広いことを特徴とする、請求項２に記載の電源用コネクタ。
【請求項４】
前記弾性部材は、前記絶縁ボディに保持されるための固持部を含み、前記第１弾性アームは、前記固持部の一端から下向きに折れ曲がって後方へ延在するように形成されることを特徴とする、請求項１から３の中の何れかの一項に記載の電源用コネクタ。
【請求項５】
前記第１弾性アームには中央部に切欠きが形成され、前記第２弾性アームは前記固持部の一端から下向きに折れ曲がって延出し、且つ前記第１弾性アームの間を通過していることを特徴とする、請求項４に記載の電源用コネクタ。
【請求項６】
前記固持部の他端には、接地アームが下向きに折れ曲がって延出するように形成され、該接地アームには前記絶縁ボディに露出するテール片が設けられることを特徴とする、請求項４に記載の電源用コネクタ。
【請求項７】
前記第２弾性アームの接触区域は、前記第１導電端子と第２導電端子との接触部の前方に位置することを特徴とする、請求項１に記載の電源用コネクタ。
【請求項８】
前記第１弾性アームの接触区域は、前記第１導電端子と第２導電端子との接触部の後方に位置することを特徴とする、請求項１に記載の電源用コネクタ。
【請求項９】
前記導電端子は、信号を伝送するための第３導電端子を含むことを特徴とする、請求項１に記載の電源用コネクタ。
【請求項１０】
前記第２弾性アーム、第２導電端子、第１導電端子、第３導電端子は、相手コネクタに順に接続されることを特徴とする、請求項９に記載の電源用コネクタ。
【考案の詳細な説明】
【技術分野】
【０００１】
本考案は、電源用コネクタに関し、パワーを伝送するための電源用コネクタに関するものである。
【背景技術】
【０００２】
電源用コネクタは電子分野に広く応用され、それぞれ電源のアノードとしての内層端子とカソードとしての外層端子とを有し、前記電源用コネクタはこれら端子のアノードとカソードにより電子部材に使用電圧を供給するものである。当該電源用コネクタの従来技術は特許文献１と特許文献２を参照されたい。電源用コネクタは一般に回路基板に実装され、絶縁ボディと、パワーを伝送するためのアノードとしての第１端子及びカソードとしての第２端子と、信号を伝送するための信号端子とを含み、該電源用コネクタがケーブルに接続される際に、ケーブルの導体が前記第１端子と第２端子と信号端子とにそれぞれ電気的に導通する。
【特許文献１】米国特許第６６９５６４４号明細書
【特許文献２】中国実用新案公告第２８０９９７３号明細書
【考案の開示】
【考案が解決しようとする課題】
【０００３】
しかしながら、相手コネクタに静電気が帯電していると、嵌合する際に、静電気が相手コネクタから電源用コネクタの信号端子に放電され、電子設備の内部の電子回路に損傷が生じる可能性がある。また、相手コネクタと嵌合する際に、作業者に静電気が帯電している場合も同様の問題が生じる。そこで、本考案は、以上の点に鑑みてなされたものであり、改良した新型の電源用コネクタを提供することを目的とする。
【０００４】
本考案は、相手コネクタに接続する際に、有効なＥＳＤ（Electro Static Discharge：静電気放電）保護機能を発揮できる電源用コネクタを提供することを目的とする。
【課題を解決するための手段】
【０００５】
前記目的を達成するために、本考案の電源用コネクタは、絶縁ボディと、前記絶縁ボディに装着され、電源のアノードとしての第１導電端子と、電源のカソードとしての第２導電端子とを含む導電端子と、前記絶縁ボディに保持される弾性部材とを含む電源用コネクタにおいて、前記弾性部材は、第１弾性アームと第２弾性アームとを含み、第２弾性アームの接触区域は、前記第１導電端子と第２導電端子の少なくともの一方の接触部より前記絶縁ボディの前面に近い位置に形成されていることを特徴とする。
【考案の効果】
【０００６】
従来の技術に比べると、本考案の電源用コネクタは以下の長所がある。第２弾性アームの接触区域は、前記第１導電端子と第２導電端子の少なくともの一方の接触部より前記絶縁ボディの前面に近い位置に形成されていることによって、相手コネクタに嵌合する際に、第２弾性アームがまず相手コネクタに接続するので、有効なＥＳＤ（Electro Static Discharge：静電気放電）保護機能を発揮できる。
【考案を実施するための最良の形態】
【０００７】
以下、本考案の電源用コネクタの好ましい実施の形態について、添付図面を参照して説明する。図１から図７を参照すると、本考案に係る電源用コネクタ１は絶縁ボディ２と、パワーを伝送するための第１導電端子３及び第２導電端子４と、信号を伝送するための第３導電端子５と、弾性部材６と、絶縁ボディ２の一側に実装される係合部材８と、該係合部材８を保持するためのベース部材９と、を含む。本実施状態において、該電源用コネクタ１は、前記第１導電端子３と第２導電端子４と第３端子５とにそれぞれ電気的に接続する導体を有するケーブル（図示せず）も含む。
【０００８】
前記絶縁ボディ１は、中央に相手コネクタの嵌合部分を収容するための収容穴２１０が形成される第１本体２１と、絶縁ボディ１の後面から前記収容穴２１０内に延在する円柱状を呈する第２本体２２と、を含み、前記第２本体２２の軸方向に沿う位置には直径が小さい収容孔２２０が形成され、前記収容穴２１０の先端には第１本体２１の先端面２０１を突出するような環状体の凸縁２１１が形成される。前記第１本体２１の先端面２０１と第２本体２２の先端面（参照記号なし）とは、同一平面に位置する。
【０００９】
前記絶縁ボディ２の後端には、第１導電端子３と、第２導電端子４と、第３導電端子５とをそれぞれ収容するための第１収容溝２１３と、第２収容溝２１４と、第３収容溝２１５とが延在し形成されている。前記第３収容溝２１５は絶縁ボディ２の中央に設けられ、第２本体２２の収容孔２２０に連通している。前記第１収容溝２１３はｎ字形状を呈し、第３収容溝２１５の周囲を包み且つ第１本体２１の収容穴２１０に連通している。前記第２収容溝２１４は、第１本体２１の収容穴２１０に連通するように絶縁ボディ２の底部に配置され、且つ、該第２収容溝２１４の底壁及び天板に開口２１４０が延出するように形成されている。絶縁ボディ２には、第１収容溝２１３の上方に位置し、弾性部材６を収容するための第４収容溝２１６が設けられる。
【００１０】
絶縁ボディ２の一側壁２１２には、後方から前方向きに延在するように取付溝２１７が形成される。該取付溝２１７は、その内壁に一対のスライド溝２１７０が設けられ、先端に半円状を呈する第１係合面２１７１が形成され、第１係合面２１７１の後方に矩形形状を呈する一対の凹溝２１７２が対称に形成される。また、前記凹溝２１７２の底表面には、第１位置決め孔２１７３がそれぞれ設けられ、前記取付溝２１７の底壁には、第２位置決め孔２１７４が形成される。
【００１１】
図１から図６を参すると、第１導電端子３は電源のアノードとして、絶縁ボディ２の後方から前記第１収容溝２１３内に挿入される。該第１導電端子３は、Ｕ字形状を呈する主体部３０と、該主体部３０から外側へ斜めに延在するように形成される一対の弾性接触部３１と、主体部３０の頂端の両側よりそれぞれ横向きに延在するように形成される一対のテール部３２と、を含み、前記各テール部３２の末端には、弧形状を呈する半田部３２０がそれぞれ設けられ、前記主体部３０の底面の中央には錠止片３００が形成される。該第１導電端子３の弾性接触部３１が前記収容穴２１０内に延在すると、相手コネクタに接続できる。
【００１２】
前記第２導電端子４は電源のカソードとして、絶縁ボディ２の後方から前記第２収容溝２１４内に挿入される。該第２導電端子４は、固持部４０と、該固持部４０から前向きへ延出するように収容穴２１０内に収容される接触部４１と、前記固持部４０から後向きに延在するように絶縁ボディ２に突出するテール部４２と、テール部４２から折れ曲がって下向きに延出するように前記第２収容溝２１４の開口２１４０に収容される折曲片４３と、を含む。固持部４０の両側には第２収容溝２１４に係止するための錠止片４００が形成される。前記テール部４２は、特定の距離で隔てられた一対の半田部４２０からなり、各半田部４２０の中央には、溶接剤（図示せず）を収容するための通孔４２１がそれぞれ形成される。また、前記折曲片４３は、一対の半田部４２０の間から延出するように形成され、下向きに突出した末端部４３０が形成される。
【００１３】
前記第１導電端子３と第２導電端子４は、ケーブル（図示せず）の導体に半田付されるように二つの半田部３２０、４２０とがそれぞれ配置され、これにより、そのうちの一方の半田部３２０、４２０がケーブルの導体に安定して接続できない際に、他方の半田部３２０、４２０がケーブルの導体に電気的に接続されることによりパワーを安定して伝送することが保障される。
【００１４】
信号を伝送するための第３導電端子５は、前記絶縁ボディ２の第３収容溝２１５内に装着され、前記第２本体２２の収容孔２２０内に延在するようにフォーク状を呈する接触部５１と、該接触部５１から後方へ延在するように形成される固持部５０と、固持部５０から後方へ延在するように絶縁ボディ２から突出する半田部５２と、を含む。前記固持部５０の両側に前記第２収容溝２１３０の内壁に干渉して係合できる複数の突刺部材（参照記号なし）がそれぞれ形成され、これにより該第３導電端子５が絶縁ボディ２に固持される。
【００１５】
図２から図７を参照すると、前記弾性部材６は、平板状の固持部６０と、該固持部６０の一端から下向きに折れ曲がって後方へ延在するように形成される、第１弾性アーム６４と、固持部６０の一端から斜めに延出するように形成された第２弾性アーム６２と、固持部６０の他端から下向きに折れ曲がって延出するように形成される接地アーム６３と、を含む。固持部６０は、両側に係止片６００がそれぞれ形成され、前記一端の両側から所定の間隔を隔てる一対の位置決めアーム６０１がそれぞれ延出するように形成され、且つ前記位置決めアーム６０１の両側には前記絶縁ボディ２に係合するための突刺（図示せず）がそれぞれ設けられる。
【００１６】
前記第１弾性アーム６４は、前記一対の位置決めアーム６０１からそれぞれ下向きに折れ曲がって後向きに延出するように所定の間隔を隔てる一対の延出部６４１と、延出部６４１から後向きに延出するように凸部を有する接触区域６４０と、該接触区域６４０から後向きに延出するように形成された末端部（参照記号なし）と、を含む。前記第２弾性アーム６２は、前記一対の位置決めアーム６０１の間の中間部分からそれぞれ前向きに延出するように形成され、且つ前記一対の延出部６４１の間の間隔を通過し、該第２弾性アーム６２は凸部を有する接触区域が形成される。相手コネクタと電子設備のケースに形成された静電気が第２弾性アーム６２により放電される。接地アーム６３は、前記絶縁ボディ２に露出され、テール片６３０を備える。前記固持部６０と第１弾性アーム６４は絶縁ボディ２の第４収容溝２１６に完全に収容され、且つ、第１弾性アーム６４の接触区域６４０と第２弾性アーム６２の接触区域は前記収容穴２１０に突出するように配置されるとともに、第２弾性アーム６２の接触区域が第１弾性アーム６４の接触区域６４０の前方に位置している。
【００１７】
前記係合部材８は、正方形を呈する基板８０と、該基板８０に連接する凸柱８１と、前記基板８０と凸柱８１を貫通して形成されるねじ穴８２と、を含む。該係合部材８が絶縁ボディ２の後方から取付溝２１７にスライドして収容され、取付けられた際に、前記凸柱８１が取付溝２１７の第１係合面２１７１に当接し、前記基板８０の側縁が前記スライド溝２１７０内に収容されている。
【００１８】
前記ベース部材９は、絶縁材料からなり、基体部９０と、該基体部９０の一端にそれぞれ形成される一対の第１位置決め部９１と、該基体部９０の他端に形成される第２位置決め部９２及び弾性部材６の接地アーム６３のテール片６３０を収容するための窪み部９３と、を含む。前記一対の第１位置決め部９１は、円柱体として形成され、その外円周表面に複数の凸リブ（参照記号なし）が設けられる。基体部９０は、前記一端に半円状を呈する第２係合面９００が形成され、前記第２係合面９００の後方即ち前記他端に階段部９０１が設けられる。
【００１９】
前記係合部材８が絶縁ボディ２のスライド溝２１７に組付けられてから、ベース部材９は絶縁ボディ２の一側から取付溝２１７内に組付けられ、前記一対の第１位置決め部９１が絶縁ボディ２の一対の第１位置決め孔２１７３に対応し係合され、前記複数の凸リブにより、該第１位置決め部９１が第１位置決め孔２１７３に干渉し係合される。前記第２位置決め部９２が絶縁ボディ２の第２位置決め孔２１７４に対応し係合され、これにより、ベース部材９が絶縁ボディ２から外れることが防止できる。
【００２０】
組付けた際に、ベース部材９の基体部９０が係合部材８の基板８０を覆って、ベース部材９の第２係合面９００と取付溝２１７の第１係合面２１７１とは、協働して係合部材８の凸柱８１を包囲し収容するための円状孔を成し、これにより、係合部材８の各方向への移動が制限される。また、前記階段部９０２が係合部材８の基板８０の側縁に当接することにより、該係合部材８の後方への移動が制限される。電源用コネクタ１を使用する際に、ねじ等の連接部材が係合部材８に係合することによって、該電源用コネクタ１がサーバー（Sever）やルーター（Router）などの電子設備のケースにしっかりに実装される。
【００２１】
図８を参照すると、本考案の電源用コネクタ１に嵌合するための相手コネクタ１００は、中心端子ａを有するモジュラーと、外側に位置する金属シェルｂと、モジュラーの外側に配置された金属シールドｃとを含む。電源用コネクタ１が相手コネクタに嵌合する際に、まず、弾性部材６の第２弾性アーム６２が相手コネクタ１００の金属シェルｂに接続することにより、相手コネクタ１００の帯電した静電気が弾性部材６の第２弾性アーム６２に放電され、第２弾性アーム６２の接地アーム６３を通じて最後に電子設備のケースに放電し、有効なＥＳＤ（Electro Static Discharge：静電気放電）保護機能を発揮できる。次に、電源用コネクタ１の第２導電端子４の接触部４１が相手コネクタの金属シェルｂに接触してから、第１導電端子３の一対の接触部３１が相手コネクタ１００の金属シールドｃに接触することによって、パワーを伝送する回路が形成される。最後に、信号を伝送するための第３導電端子５が相手コネクタ１００の中心端子ａに接続することにより、電源用コネクタ１と相手コネクタ１００との間に信号を伝送する効果が実現される。
【００２２】
本考案の電源用コネクタ１は、弾性部材６の第２弾性アーム６２が第１導電端子３と第２導電端子４より先に相手コネクタ１００に接続し、その後で、第１導電端子３と第２導電端子４が相手コネクタに完全に接続することに限ってパワーを伝送するための回路が導通可能となる。これによって、第２弾性アーム６２が第１導電端子３と第２導電端子４の少なくともの一方より相手コネクタに先に接続さえすれば、相手コネクタ１００に帯電した静電気が放電されるようになる。すなわち、弾性部材６の第２弾性アーム６２の接触区域は、第１導電端子３と第２導電端子４の少なくともの一方の接触部より絶縁ボディ２の前面に近い位置に形成されている。
【００２３】
以上、本考案について最適な実施の形態を参照して詳細に説明したが、実施形態はあくまでも例示的なものであり、これらに限定されるものではない。また前記の説明においては、本考案に基づきなしうる細部の修正或は変更など、いずれも本考案の請求範囲に属するものとする。
【図面の簡単な説明】
【００２４】
【図１】本考案に係る電源用コネクタの組合せ斜視図である。
【図２】図１に示す電源用コネクタを他の角度から見た組合せ斜視図である。
【図３】本考案に係る電源用コネクタの分解斜視図である。
【図４】図３に示す電源用コネクタを他の角度から見た分解斜視図である。
【図５】本考案に係る電源用コネクタの弾性部材の斜視図である。
【図６】図１に示す電源用コネクタのＡ−Ａ線で切断した断面図である。
【図７】図１に示す電源用コネクタのＢ−Ｂ線で切断した断面図である。
【図８】本考案に係る電源用コネクタに嵌合するための相手コネクタの断面図である。
【符号の説明】
【００２５】
１  電源用コネクタ
２  絶縁ボディ
２１  第１本体
２０１  先端面
２１０  収容穴
２１１  凸縁
２１２  側壁
２１３  第１収容溝
２１４  第２収容溝
２１５  第３収容溝
２１６  第４収容溝
２１７  取付溝
２１４０  開口
２１７１  第１係合面
２１７２  凹溝
２１７３  第１位置決め孔
２１７４  第２位置決め孔
２２  第２本体
２２０  収容孔
３  第１導電端子
３０  主体部
３１、４１、５１  接触部
３２、４２  テール部
３００、４００  錠止片
３０１  突起
３２０、４２０、５２  半田部
４  第２導電端子
４０、５０、６０  固持部
４３  折曲片
４２１  通孔
５  第３導電端子
６  弾性部材
６２  第２弾性アーム
６３  接地アーム
６４  第１弾性アーム
６００  係止片
６０１  位置決めアーム
６４０  接触区域
６４１  延出部
８  係合部材
８０  基板
８１  凸柱
８２  ねじ孔
９  ベース部材
９０  基体部
９１  第１位置決め部
９２  第２位置決め部
９３  窪み部
９００  第２係合面
９０１  階段部
【図１】
0003139733.tif 000003
【図２】
0003139733.tif 000004
【図３】
0003139733.tif 000005
【図４】
0003139733.tif 000006
【図５】
0003139733.tif 000007
【図６】
0003139733.tif 000008
【図７】
0003139733.tif 000009
【図８】
0003139733.tif 000010